(57)【特許請求の範囲】
【請求項１】
載置面および第１電気接点を含む本体と、
第２電気接点を含み、電力が供給されることによって発光する発光面が表面に設けられた照明パネルと、
前記照明パネルが配置される配置部を含み、前記本体の端部に回転軸支された取付カバーと、を備え、
前記取付カバーが前記本体に対して開いた状態では、前記配置部に配置された前記照明パネルは前記取付カバーに対して仮固定され、
前記取付カバーが前記本体に対して閉じた状態では、前記照明パネルは前記取付カバーと前記本体とによって固定されるとともに、前記第１電気接点と前記第２電気接点とが相互に電気接続され、
前記取付カバーは、前記取付カバーの周縁から前記配置部と間隔を空けて延在する仮固定部を有し、
前記取付カバーが前記本体に対して開いた状態では、前記配置部と前記仮固定部との間に前記照明パネルが配置されることによって、前記照明パネルは前記取付カバーに対して仮固定される、
照明装置。
【請求項２】
前記取付カバーが前記本体に対して閉じた状態では、前記配置部が前記照明パネルを前記本体の前記載置面に対して押し付けることによって、前記照明パネルは前記取付カバーと前記本体とによって挟持固定される、
請求項１に記載の照明装置。
【請求項３】
前記取付カバーは、前記本体に対する開き角度を所定の範囲内に規制する規制部材を有する、
請求項１または２に記載の照明装置。
【請求項４】
前記第１電気接点は前記本体の前記載置面上に露出するように設けられ、
前記第２電気接点は前記照明パネルの裏面に設けられる、
請求項１から３のいずれか１項に記載の照明装置。
【発明の詳細な説明】
【技術分野】
【０００１】
本発明は、照明装置に関し、特に、照明パネルを備えた照明装置に関する。
【背景技術】
【０００２】
特開２００７−２５０３０２号公報（特許文献１）および特開２００７−２５０３０３号公報（特許文献２）には、照明パネルを備えた面発光型の照明装置に関する発明が開示される。
【０００３】
特許文献１，２の照明装置においては、筐体が天井に取り付けられる。筐体には、回動支持部を挟んで保持部材が取り付けられる。保持部材には、挿入口が設けられる。挿入口は、照明パネルの表面と略平行な方向に照明パネルを抜き差し可能なように設けられる。特許文献１，２によれば、天井に取り付けられた筐体に対して、照明パネルの着脱の作業性を向上させることができると述べられている。
【先行技術文献】
【特許文献】
【０００４】
【特許文献１】特開２００７−２５０３０２号公報
【特許文献２】特開２００７−２５０３０３号公報
【発明の概要】
【発明が解決しようとする課題】
【０００５】
本発明は、照明パネルの着脱の作業性をさらに向上させることができる照明装置を提供することを目的とする。
【課題を解決するための手段】
【０００６】
本発明に基づく照明装置は、載置面および第１電気接点を含む本体と、第２電気接点を含み、電力が供給されることによって発光する発光面が表面に設けられた照明パネルと、上記照明パネルが配置される配置部を含み、上記本体の端部に回転軸支された取付カバーと、を備え、上記取付カバーが上記本体に対して開いた状態では、上記配置部に配置された上記照明パネルは上記取付カバーに対して仮固定され、上記取付カバーが上記本体に対して閉じた状態では、上記照明パネルは上記取付カバーと上記本体とによって固定されるとともに、上記第１電気接点と上記第２電気接点とが相互に電気接続される。
【０００７】
好ましくは、上記取付カバーは、上記取付カバーの周縁から上記配置部と間隔を空けて延在する仮固定部を有し、上記取付カバーが上記本体に対して開いた状態では、上記配置部と上記仮固定部との間に上記照明パネルが配置されることによって、上記照明パネルは上記取付カバーに対して仮固定される。
【０００８】
好ましくは、上記取付カバーが上記本体に対して閉じた状態では、上記配置部が上記照明パネルを上記本体の上記載置面に対して押し付けることによって、上記照明パネルは上記取付カバーと上記本体とによって挟持固定される。
【０００９】
好ましくは、上記取付カバーは、上記本体に対する開き角度を所定の範囲内に規制する規制部材を有する。
【００１０】
好ましくは、上記第１電気接点は上記本体の上記載置面上に露出するように設けられ、上記第２電気接点は上記照明パネルの裏面に設けられる。
【発明の効果】
【００１１】
本発明によれば、照明パネルの着脱の作業性をさらに向上させることができる照明装置を得ることができる。
【図面の簡単な説明】
【００１２】
【図１】実施の形態における照明装置の分解した状態（組み立てられる前の状態）を示す第１斜視図である。
【図２】実施の形態における照明装置の分解した状態（組み立てられる前の状態）を示す第２斜視図である。
【図３】実施の形態における照明装置の分解した状態（組み立てられる前の状態）を示す断面図である。
【図４】実施の形態における照明装置に用いられる取付カバーを示す平面図である。
【図５】図４中のＶ−Ｖ線に沿った矢視断面図である。
【図６】実施の形態における照明装置に用いられる照明パネルを示す平面図である。
【図７】実施の形態における照明装置に用いられる照明パネルを示す底面図である。
【図８】実施の形態における照明装置の取付カバーの配置部に照明パネルが配置された状態を示す平面図である。
【図９】図８中のＩＸ−ＩＸ線に沿った矢視断面図である。
【図１０】実施の形態における照明装置（組み立てられた後の状態）を示す断面図である。
【図１１】実施の形態の第１変形例における照明装置（組み立てられる前の状態）を示す断面図（側面図）である。
【図１２】実施の形態の第１変形例における照明装置（組み立てられた後の状態）を示す断面図（側面図）である。
【図１３】実施の形態の第１変形例の他の構成における照明装置（組み立てられる前の状態）を示す断面図（側面図）である。
【図１４】実施の形態の第２変形例における照明装置に用いられる取付カバーを示す平面図である。
【図１５】図１４中のＸＶ−ＸＶ線に沿った矢視断面図である。
【図１６】実施の形態の第２変形例における照明装置に用いられる取付カバーの配置部に照明パネルが配置された状態を示す平面図である。
【図１７】図１７中のＸＶＩＩ−ＸＶＩＩ線に沿った矢視断面図である。
【図１８】実施の形態の第２変形例の他の構成における照明装置に用いられる取付カバーを示す断面図である。
【図１９】実施の形態の第３変形例における照明装置に用いられる取付カバーを示す平面図である。
【図２０】実施の形態の第３変形例における照明装置に用いられる取付カバーのガイド部付近を示す斜視図である。
【図２１】実施の形態の第３変形例における照明装置に用いられる照明パネルを示す底面図である。
【図２２】実施の形態の第４変形例における照明装置に用いられる取付カバーを示す平面図である。
【図２３】実施の形態の第４変形例における照明装置に用いられる照明パネルを示す底面図である。
【図２４】実施の形態の第５変形例における照明装置に用いられる取付カバーを示す平面図である。
【図２５】実施の形態の第５変形例における照明装置に用いられる照明パネルを示す底面図である。
【図２６】実施の形態の第６変形例における照明装置に用いられる照明パネルを示す底面図である。
【図２７】実施の形態の第６変形例の他の構成における照明装置に用いられる照明パネルを示す底面図である。
【図２８】実施の形態の第６変形例のさらに他の構成における照明装置に用いられる照明パネルを示す底面図である。
【発明を実施するための形態】
【００１３】
本発明に基づいた実施の形態について、以下、図面を参照しながら説明する。実施の形態の説明において、個数、量などに言及する場合、特に記載がある場合を除き、本発明の範囲は必ずしもその個数、量などに限定されない。実施の形態の説明において、同一の部品、相当部品に対しては、同一の参照番号を付し、重複する説明は繰り返さない場合がある。特に制限が無い限り、実施の形態の各変形例に示す構成を適宜組み合わせて用いることは、当初から予定されていることである。
【００１４】
図１〜図３を参照して、実施の形態における照明装置１００について説明する。図１は、実施の形態における照明装置の分解した状態（組み立てられる前の状態）を示す第１斜視図である。図２は、実施の形態における照明装置の分解した状態（組み立てられる前の状態）を示す第２斜視図である。図３は、実施の形態における照明装置の分解した状態（組み立てられる前の状態）を示す断面図である。
【００１５】
図１〜図３に示すように、照明装置１００は、本体１０、取付カバー２０、および照明パネル３０を備える。取付カバー２０は本体１０の端部１２に回転軸支され、照明パネル３０は本体１０と取付カバー２０との間に配置される（詳細は後述する）。
【００１６】
（本体１０）
本体１０は平板状に形成され、端部１１〜端部１４および載置面１５を有する。本体１０は、裏面（載置面１５の反対面）側を利用して、天井５０（図３参照）または壁面（図示せず）等に固定されることができる。本体１０は、たとえばアルミニウムまたはステンレス等から、プレス加工または切削加工等によって製造される。本体１０の厚さは、たとえば１ｃｍ〜１０ｃｍである。
【００１７】
本体１０には、載置面１５上の周縁に沿って、所定の深さを有する環状溝１６（図２，図３参照）が凹設される。詳細は後述されるが、環状溝１６の形状は、取付カバー２０における嵌込部２３の形状に対応している。照明装置１００が組み立てられた状態においては、取付カバー２０の嵌込部２３が、本体１０の環状溝１６内に嵌め込まれる。
【００１８】
本体１０には、載置面１５上の周縁の一部に沿うように、所定の深さを有する収容部１６Ａ（図２参照）が凹設される。詳細は後述されるが、収容部１６Ａの形状は、取付カバー２０における仮固定部２６（図１，図３参照）の形状に対応している。照明装置１００が組み立てられた状態においては、取付カバー２０の仮固定部２６は、本体１０の収容部１６Ａ内に嵌め込まれる。
【００１９】
載置面１５上の所定の位置には、２つの切込部１９（図２参照）が相互に並んで凹設される。切込部１９内のそれぞれに、一対の電気接点４１（第１電気接点）が設けられる。電気接点４１は、照明パネル３０が本体１０に取り付けられた際（照明装置１００が組み立てられた際）に、照明パネル３０の電気接点４２（図１，図３参照）と接触可能な位置に配設される。
【００２０】
図３に示すように、切込部１９内に設けられる電気接点４１は、載置面１５から板バネ状に突出するように固定されるとよい。当該構成によれば、照明パネル３０が本体１０に取り付けられた際、照明パネル３０の電気接点４２（図１参照）と本体１０の電気接点４１との良好な電気的接続が得られる。電気接点４１は、本体１０を貫通して所定の電源装置（図示せず）に接続される。
【００２１】
本体１０の端部１２には、２つの支持具１８Ａが並んで設けられる。各支持具１８Ａは取付カバー２０の端部に接続され、本体１０に対して取付カバー２０を回転軸支する。支持具１８Ａによって、取付カバー２０は支持具１８Ａを中心として矢印ＡＲ２方向およびその反対方向に回動することができる。取付カバー２０の回動に伴って、取付カバー２０の嵌込部２３（詳細は後述する）は環状溝１６に嵌め込まれることができる。
【００２２】
本体１０の端部１４には、２つの支持具１８が並んで設けられる。支持具１８には、Ｌ字状の保持部材１７が回動可能に取り付けられる。支持具１８の内部にはコイルバネ等の付勢手段が内蔵される。支持具１８に取り付けられた保持部材１７は、コイルバネ等の付勢手段の作用によって、載置面１５側に向かって回転するように矢印ＡＲ３（図３参照）方向に付勢される。保持部材１７および支持具１８は、端部１１に設けられてもよいし、端部１３に設けられてもよい。
【００２３】
（取付カバー２０）
図４は、照明装置１００に用いられる取付カバー２０を示す平面図である。図５は、図４中のＶ−Ｖ線に沿った矢視断面図である。図４および図５（ならびに図１〜図３）に示すように、取付カバー２０は平板部２１、透明板２２、嵌込部２３、配置部２５、および仮固定部２６を有する。上述のとおり、取付カバー２０の端部には支持具１８Ａが接続される。平板部２１、透明板２２、および嵌込部２３に囲まれる空間に、照明パネル３０が配置される（詳細は後述する）。
【００２４】
平板部２１の中央部分には開口が設けられ、当該開口にガラスまたはアクリル樹脂等から構成される矩形状の透明板２２が設けられる。透明板２２の厚さはたとえば２ｍｍ〜３ｍｍである。本実施の形態においては、平板部２１の上面および透明板２２の上面に、照明パネル３０を配置するための配置部２５が形成される。
【００２５】
透明板２２を用いないで、平板部２１の全体を透明な部材から構成してもよい。この場合、平板部２１の上面に、照明パネル３０を配置するための配置部２５が形成される。平板部２１の中央部分には、透明板２２が設けられていなくてもよい。この場合、枠状の平板部２１の上面に、照明パネル３０を配置するための配置部２５が形成される。
【００２６】
嵌込部２３は、平板部２１の外周に環状に立設される。嵌込部２３の上端によって、照明パネル３０を配置部２５に受け入れるための開口２８が形成される。上述のとおり、嵌込部２３の形状は、本体１０における環状溝１６（図１，図２参照）の形状に対応している。
【００２７】
取付カバー２０の周縁（ここでは嵌込部２３の立設方向先端）に、仮固定部２６が設けられる。取付カバー２０における仮固定部２６は、矩形環状に形成される嵌込部２３の一辺上に２つ並んで設けられ、配置部２５の上方に向かって所定の長さで延在する。仮固定部２６と配置部２５とは、間隔Ｌ１（図５参照）を空けて離れている。上述のとおり、仮固定部２６の形状は、本体１０における収容部１６Ａ（図２参照）の形状に対応している。
【００２８】
（照明パネル３０）
図６は、照明パネル３０の平面図である。図７は、照明パネル３０の底面図である。図５および図６（ならびに図１〜図３）を参照して、照明パネル３０は、たとえば可撓性を有するシート状に形成される。照明パネル３０がシート状に形成される場合、照明パネル３０の厚さはたとえば約１ｍｍである。ここで、シート状とは、厚さ０．５ｍｍ〜１０ｍｍ程度、好ましくは０．５ｍｍ〜１ｍｍ程度のほぼ均一の厚さを有した平面状のものを意味し、フィルム状または薄板状と称される厚さのものも含む。照明パネル３０は、所定の厚さ（１０ｍｍ〜３０ｍｍ）を有する平板状に形成されていてもよい。
【００２９】
照明パネル３０の表面３１には、電力が供給されることによって発光する矩形状の発光面３３が形成される。発光面３３は、たとえば有機ＥＬ（ＯＬＥＤ：Organic  Light  Emitting  Diode）素子から構成されることができる。照明パネル３０の裏面３２には、発光面３３に電力を供給するための一対の電気接点４２（第２電気接点）が設けられる。
【００３０】
発光面３３が有機ＥＬ素子から構成される場合、発光面３３内の有機発光層の両面に電力が供給される。電力の供給によって、有機発光層は可視光を発光する。発光面３３側（表面３１側）には、有機発光層上に透明電極層（ＩＴＯなど）が設けられ、透明電極層上は封止層によって密閉される。有機発光層の下（裏面３２側）には、発光した光を反射するためのたとえばアルミニウム製の電極層が設けられる。電極層の下（裏面３２側）にはベース層が設けられる。有機発光層の上下面からは、裏面３２に設けられた一対の電気接点４２に向かって所定のパターンが配線される。
【００３１】
（照明装置１００の組み立て）
図１〜図３を再び参照して、照明装置１００が組み立てられる際には、本体１０に対して取付カバー２０が開かれる。本体１０の保持部材１７は、起立するように矢印ＡＲ３（図３参照）とは反対方向に回動され、その状態が保持される。照明パネル３０は、矢印ＡＲ１に示すように、取付カバー２０の開口２８を通して配置部２５上に配置される。
【００３２】
図８は、取付カバー２０の配置部２５に照明パネル３０が配置された状態を示す平面図である。図９は、図８中のＩＸ−ＩＸ線に沿った矢視断面図である。
【００３３】
図８および図９（ならびに図１〜図３）を参照して、照明パネル３０が配置部２５上に配置される際、照明パネル３０の端部（厚さＬ２の部分、図９参照）は、仮固定部２６と配置部２５との間に差し込まれる（厚さＬ２＜間隔Ｌ１）。配置部２５と仮固定部２６との間において、照明パネル３０は取付カバー２０に対して仮固定される。当該仮固定によって、照明パネル３０の取付カバー２０からの脱落（離脱）が抑制される。
【００３４】
図１０を参照して、次に、本体１０に対して取付カバー２０が閉じられる。取付カバー２０の嵌込部２３が、本体１０の環状溝１６に嵌め込まれる。照明パネル３０は、配置部２５と仮固定部２６との間において仮固定された状態で、取付カバー２０の透明板２２（配置部２５）と本体１０の載置面１５とによって固定される。電気接点４１と電気接点４２とは、相互に接触することによって電気的に接続される。
【００３５】
その後、保持部材１７の起立状態が開放される。保持部材１７は、コイルバネ等による付勢によって矢印ＡＲ３方向に回動し、取付カバー２０の平板部２１を載置面１５側に向かって押し付ける。当該押し付けによって、取付カバー２０および照明パネル３０は、本体１０に対して取り付けられる。
【００３６】
以上のようにして、図１０に示す照明装置１００が得られる。照明装置１００においては、本体１０に設けられた電気接点４１および照明パネル３０に設けられた電気接点４２を通して、外部の電源装置（図示せず）から照明パネル３０の発光面３３に電力が供給される。電力の供給によって発光面３３が発光し、照明装置１００は照明することが可能となる。
【００３７】
（作用・効果）
図１〜図３に示すように、取付カバー２０が本体１０に対して開いた状態で、照明パネル３０は取付カバー２０の開口２８を通して配置部２５上に配置される（矢印ＡＲ１参照）。照明装置１００がたとえば天井５０（図３参照）に取り付けられる場合には、取付カバー２０の開口２８は重力方向の上方側に向かって開口する。照明パネル３０は、取付カバー２０の開口２８を通して容易に配置部２５上に配置されることができる。
【００３８】
配置部２５上に配置された（配置部２５と仮固定部２６との間に差し込まれた）照明パネル３０は、配置部２５および仮固定部２６によって仮固定される。当該仮固定によって、照明パネル３０の取付カバー２０からの脱落（離脱）が抑制される。作業者は、取付カバー２０を本体１０に対して容易に閉じることができる。
【００３９】
一方、照明パネル３０を照明装置１００から取り外す際（照明パネル３０を交換する際）には、取付カバー２０が本体１０に対して開かれる。この際、配置部２５および仮固定部２６によって照明パネル３０が仮固定されているため、照明パネル３０の取付カバー２０からの脱落（離脱）が抑制される。
【００４０】
照明装置１００がたとえば天井５０（図３参照）に取り付けられる場合には、開口２８が重力方向の上方側に向かって開口していることによって、照明パネル３０の取付カバー２０からの脱落（離脱）がさらに抑制される。作業者は、取付カバー２０から照明パネル３０を容易に取り外すことができる。
【００４１】
なお、冒頭に説明した特開２００７−２５０３０２号公報（特許文献１）および特開２００７−２５０３０３号公報（特許文献２）においては、保持部材の挿入口が、照明パネルの表面と略平行な方向に照明パネルを抜き差し可能なように設けられる。この挿入口は狭小に形成されており、たとえば天井付近において、照明パネルをこの挿入口に挿入することは容易ではない。
【００４２】
特に、照明パネルがシート状に形成される場合、照明パネルは撓みやすい。特許文献１，２における挿入口に対して照明パネルを着脱する際、照明パネルをその長手方向に移動させる必要がある。当該作業は容易ではない。
【００４３】
本実施の形態における照明装置１００によれば、照明パネル３０がシート状に形成される場合であっても、取付カバー２０の開口２８を通して容易に着脱することが可能である。したがって、照明装置１００によれば、従来の照明装置に比べて、照明パネル３０の着脱の作業性を向上させることが可能となる。
【００４４】
照明装置１００が組み立てられた状態において、配置部２５は照明パネル３０の発光面３３の全体を、本体１０の載置面１５に対して押し付けるように構成されてもよい。当該構成によれば、照明パネル３０は取付カバー２０の配置部２５と本体１０の載置面１５とによって挟持固定される。この場合、配置部２５の形状（透明板２２の上面形状）は、載置面１５の表面形状に対応するように形成される。
【００４５】
ここで、照明パネル３０がシート状（厚さ０．５ｍｍ〜１０ｍｍ程度）に形成される場合、照明パネル３０は、その初期ひずみ（製造時や運搬時の形態による反り等のひずみ）や、また、その取付態様によっては、照明パネル３０自身の重さ（自重）によって重力方向に撓む場合がある。
【００４６】
配置部２５が照明パネル３０の発光面３３の全体を本体１０の載置面１５に対して押し付けることによって、発光面３３は、配置部２５と載置面１５とによって挟みこまれた状態でその形状が保持される。配置部２５から受ける押圧によって発光面３３は撓むことがない。発光面３３は、予め設計によって定められた形状を保持することが可能となる。発光面３３は、予め設計によって定められた配光特性を実現することが可能となり、発光面３３からの照射方向に応じて、光の強さにばらつき（ムラ）が生じる虞もない。
【００４７】
［第１変形例］
図１１を参照して、実施の形態の第１変形例における照明装置１００Ａについて説明する。照明装置１００Ａにおいては、取付カバー２０Ａと本体１０との間に規制部材２４が設けられる。規制部材２４は、２枚の薄平板状の部材が連結されることによって構成される。規制部材２４は、紐状の部材であってもよい。
【００４８】
図１１に示すように、規制部材２４は、本体１０および取付カバー２０Ａの側面に沿って設けられるとよい。規制部材２４は、取付カバー２０Ａが支持具１８Ａを中心に回動する際に、取付カバー２０Ａの本体１０に対する開き角度を所定の範囲内に規制する。規制部材２４の配設によって、本体１０に対する取付カバー２０Ａの開き角度が所定の値に保持された状態で、照明パネル３０を取付カバー２０Ａ上に容易に載置することが可能となる。
【００４９】
図１２に示すように、取付カバー２０Ａが本体１０に対して取り付けられた際には、規制部材２４は本体１０および取付カバー２０Ａの側面に沿って折れ曲がる。規制部材２４が本体１０および取付カバー２０Ａの側面に設けられていることによって、照明パネル３０の取り付け作業または取り外し作業は規制部材２４によって妨げられず、当該作業中における利便性を一層向上させることが可能となる。
【００５０】
図１３に示す取付カバー２０Ａ１のように、取付カバー２０Ａ１が本体１０に対して開きすぎることを規制する手段としては、規制部材２４Ａが設けられていてもよい。規制部材２４Ａは、支持具１８Ａに取り付けられる側の取付カバー２０Ａ１の端部に設けられる。規制部材２４Ａは、取付カバー２０Ａ１が支持具１８Ａを中心に回動することによって、天井５０に当接する。当該構成によっても、上述の規制部材２４（図１１および図１２参照）と同様の効果を得ることが可能となる。
【００５１】
［第２変形例］
図１４〜図１７を参照して、上述の実施の形態１の第２変形例における照明装置について説明する。図１４は、本変形例における照明装置に用いられる取付カバー２０Ｂを示す平面図である。図１５は、図１４中のＸＶ−ＸＶ線に沿った矢視断面図である。図１６は、取付カバー２０Ｂの配置部２５上に照明パネル３０が載置された状態を示す平面図である。図１７は、図１６中のＸＶＩＩ−ＸＶＩＩ線に沿った矢視断面図である。
【００５２】
図１４および図１５に示すように、取付カバー２０Ｂにおいては、仮固定部２６が、矩形環状に形成される嵌込部２３の二辺上に２つ並んで設けられ、配置部２５の上方に向かって所定の長さで延在する。仮固定部２６と配置部２５とは、間隔Ｌ１（図１５参照）を空けて離れている。
【００５３】
図１６および図１７に示すように、取付カバー２０Ｂの配置部２５上に照明パネル３０が載置される際、照明パネル３０の端部（厚さＬ２の部分）は、仮固定部２６と配置部２５との間に差し込まれる（厚さＬ２＜間隔Ｌ１）。照明パネル３０は、取付カバー２０Ｂに対して仮固定される。当該仮固定によって、照明パネル３０の取付カバー２０Ｂからの脱落（離脱）が抑制され、照明パネル３０を取り付ける際および照明パネル３０を取り替える際における作業者の利便性を向上させることが可能となる。
【００５４】
図１８に示すように、仮固定部２６は、嵌込部２３の立設方向先端を中心として矢印ＡＲ４方向に示すように照明パネル３０に向かって回動可能に構成されていてもよい。照明パネル３０を取付カバー（取付カバー２０Ｂ１）上に載置する際、仮固定部２６を起立させておく（図１８に示す状態）ことによって、照明パネル３０を取付カバー（取付カバー２０Ｂ１）上にさらに容易に載置することが可能となる。
【００５５】
［第３変形例］
図１９〜図２１を参照して、上述の実施の形態の第３変形例における照明装置について説明する。図１９は、本変形例における照明装置に用いられる取付カバー２０Ｃを示す底面図である。図２０は、取付カバー２０Ｃのガイド部２７（詳細は後述する）付近を示す斜視図である。図２１は、本変形例における照明装置に用いられる照明パネル３０Ｃを示す底面図である。
【００５６】
図１９および図２０に示すように、取付カバー２０Ｃにおいては、その周縁（ここでは、矩形環状に形成される嵌込部２３の角部）に、ガイド部２７が形成される。ガイド部２７は、嵌込部２３の立設方向の先端から平板部２１にまで到達するように（図１９紙面垂直方向に）延在し、嵌込部２３の角部から配置部２５側に向かって略三角柱状に張り出している。
【００５７】
図２１に示すように、照明パネル３０Ｃにおいては、その周縁（ここでは、矩形状に形成される照明パネル３０Ｃの角部）に、ガイド部３７が形成される。ガイド部３７は、面取り状に形成され、取付カバー２０Ｃにおけるガイド部２７の形状および位置に対応している。
【００５８】
本変形例における照明装置が組み立てられる際には、ガイド部２７およびガイド部３７が相互に対応するように（向かい合うように）、照明パネル３０Ｃが取付カバー２０Ｃの配置部２５上に載置される。照明パネル３０Ｃは、他の配置角度（位相）では取付カバー２０Ｃの配置部２５上に載置されない。照明パネル３０Ｃの取付カバー２０Ｃに対するいわゆる逆差しが防止され、本体１０（図示せず）側の電気接点４１（図示せず）および照明パネル３０Ｃ側の電気接点４２の極性が誤って接続されることがなく、照明パネル３０Ｃを取り付ける際および照明パネル３０Ｃを取り替える際における作業者の利便性を向上させることが可能となる。
【００５９】
［第４変形例］
図２２および図２３を参照して、上述の実施の形態１の第４変形例における照明装置について説明する。図２２は、本変形例における照明装置に用いられる取付カバー２０Ｄを示す平面図である。図２３は、本変形例における照明装置に用いられる照明パネル３０Ｄを示す底面図である。
【００６０】
図２２に示すように、取付カバー２０Ｄにおいては、その周縁（ここでは、矩形環状に形成される嵌込部２３の一辺）に、ガイド部２７が形成される。ガイド部２７は、嵌込部２３の立設方向の先端から平板部２１にまで到達するように（図２２紙面垂直方向に）延在し、嵌込部２３の一辺から配置部２５側に向かって直方体状に張り出している。
【００６１】
図２３に示すように、照明パネル３０Ｄにおいては、その周縁（ここでは、矩形状に形成される照明パネル３０Ｄの一辺）に、ガイド部３７が形成される。ガイド部３７は、切り欠かれるようにして形成され、取付カバー２０Ｄにおけるガイド部２７の形状および位置に対応している。
【００６２】
本変形例における照明装置が組み立てられる際には、上述の第３変形例（図１９〜図２１参照）と同様に、ガイド部２７およびガイド部３７が相互に対応するように（向かい合うように）、照明パネル３０Ｄが取付カバー２０Ｄの配置部２５上に載置される。照明パネル３０Ｄは、他の配置角度（位相）では取付カバー２０Ｄの配置部２５上に載置されない。照明パネル３０Ｄの取付カバー２０Ｄに対するいわゆる逆差しが防止され、本体１０（図示せず）側の電気接点４１（図示せず）および照明パネル３０Ｄ側の電気接点４２の極性が誤って接続されることがなく、照明パネル３０Ｄを取り付ける際および照明パネル３０Ｄを取り替える際における作業者の利便性を向上させることが可能となる。
【００６３】
［第５変形例］
図２４および図２５を参照して、上述の実施の形態１の第５変形例における照明装置について説明する。図２４は、本変形例における照明装置に用いられる取付カバー２０Ｅを示す底面図である。図２５は、本変形例における照明装置に用いられる照明パネル３０Ｅを示す底面図である。
【００６４】
図２４に示すように、取付カバー２０Ｅにおいては、その周縁（ここでは、矩形環状に形成される嵌込部２３の一辺）に、ガイド部２７が形成される。ガイド部２７は、嵌込部２３の立設方向の先端から平板部２１にまで到達するように（図２４紙面垂直方向に）延在し、嵌込部２３の一辺から配置部２５とは反対側に向かって直方体状に切り欠かれるように形成される。
【００６５】
図２５に示すように、照明パネル３０Ｅにおいては、その周縁（ここでは、矩形状に形成される照明パネル３０Ｅの一辺）に、ガイド部３７が形成される。ガイド部３７は、張り出すようにして形成され、取付カバー２０Ｅのガイド部２７の形状および位置に対応している。
【００６６】
本変形例における照明装置が組み立てられる際には、上述の第３変形例（図１９〜図２１参照）および上述の第４変形例（図２２および図２）と同様に、ガイド部２７およびガイド部３７が相互に対応するように（向かい合うように）、照明パネル３０Ｅが取付カバー２０Ｅの配置部２５上に載置される。照明パネル３０Ｅは、他の配置角度（位相）では取付カバー２０Ｅの配置部２５上に載置されない。照明パネル３０Ｅの取付カバー２０Ｅに対するいわゆる逆差しが防止され、本体１０（図示せず）側の電気接点４１（図示せず）および照明パネル３０Ｅ側の電気接点４２の極性が誤って接続されることもなく、照明パネル３０Ｅを取り付ける際および照明パネル３０Ｅを取り替える際における作業者の利便性を向上させることが可能となる。
【００６７】
［第６変形例］
図２６を参照して、照明パネル３０Ｆのように、１対の電気接点４２は、裏面３２の中央寄りに配置されていてもよい。この場合、本体１０（図示せず）に設けられる電気接点４１（図示せず）も、電気接点４２の位置に対応するように、載置面１５（図示せず）上の所定の位置に配置される。
【００６８】
図２７を参照して、照明パネル３０Ｇのように、一対の電気接点４２が、裏面３２上における周縁に沿って所定の長さで延在するように設けられてもよい。この場合、本体１０（図示せず）に設けられる電気接点４１（図示せず）も、電気接点４２の位置に対応するように、載置面１５（図示せず）上の所定の位置に配置される。載置面１５上における電気接点４１に対して電気接点４２が十分な長さを有していることによって、照明パネル３０Ａが若干ずれて固定された場合であっても、電気接点４１および電気接点４２間の良好な電気的接続が得られる。
【００６９】
図２８を参照して、照明パネル３０Ｈのように、正極側の電気接点４２（４２Ａ）と負極側の電気接点４２（４２Ｂ）とが２つずつ裏面３２上に配設されてもよい。一対の正極側の電気接点４２（４２Ａ）は、裏面３２上における対向する周縁に沿って所定の長さで延在するように設けられる。同様に、一対の負極側の電気接点４２（４２Ｂ）は、裏面３２上における対向する他の周縁に沿って所定の長さで延在するように設けられる。
【００７０】
本体１０（図示せず）に設けられる電気接点４１（図示せず）も、正極側の電気接点４２（４２Ａ）および負極側の電気接点４２（４２Ｂ）にそれぞれ対応するように、載置面１５（図示せず）上の所定の位置に配設される。載置面１５上におけるそれぞれの電気接点４１に対して、正極側の電気接点４２（４２Ａ）と負極側の電気接点４２（４２Ｂ）とが十分な長さを有していることによって、照明パネル３０Ｂが若干ずれて固定された場合であっても、電気接点４１、電気接点４２（４２Ａ）、および電気接点４２（４２Ｂ）間の良好な電気的接続が得られる。
【００７１】
以上、本発明に基づいた実施の形態について説明したが、今回開示された実施の形態はすべての点で例示であって制限的なものではない。本発明の技術的範囲は特許請求の範囲によって示され、特許請求の範囲と均等の意味および範囲内でのすべての変更が含まれることが意図される。
【符号の説明】
【００７２】
１０  本体、１１，１２，１３，１４  端部、１５  載置面、１６  環状溝、１６Ａ  収容部、１７  保持部材、１８，１８Ａ  支持具、１９  切込部、２０，２０Ａ，２０Ａ１，２０Ｂ，２０Ｂ１，２０Ｃ，２０Ｄ，２０Ｅ  取付カバー、２１  平板部、２２  透明板、２３  嵌込部、２４，２４Ａ  規制部材、２５  配置部、２６  仮固定部、２７，３７  ガイド部、２８  開口、３０，３０Ａ，３０Ｂ，３０Ｃ，３０Ｄ，３０Ｅ，３０Ｆ，３０Ｇ，３０Ｈ  照明パネル、３１  表面、３２  裏面、３３  発光面、４１，４２  電気接点、５０  天井、１００，１００Ａ  照明装置、ＡＲ１，ＡＲ２，ＡＲ３，ＡＲ４  矢印、Ｌ１  間隔、Ｌ２  厚さ。
【図１】
0005594180.tif 000002
【図２】
0005594180.tif 000003
【図３】
0005594180.tif 000004
【図４】
0005594180.tif 000005
【図５】
0005594180.tif 000006
【図６】
0005594180.tif 000007
【図７】
0005594180.tif 000008
【図８】
0005594180.tif 000009
【図９】
0005594180.tif 000010
【図１０】
0005594180.tif 000011
【図１１】
0005594180.tif 000012
【図１２】
0005594180.tif 000013
【図１３】
0005594180.tif 000014
【図１４】
0005594180.tif 000015
【図１５】
0005594180.tif 000016
【図１６】
0005594180.tif 000017
【図１７】
0005594180.tif 000018
【図１８】
0005594180.tif 000019
【図１９】
0005594180.tif 000020
【図２０】
0005594180.tif 000021
【図２１】
0005594180.tif 000022
【図２２】
0005594180.tif 000023
【図２３】
0005594180.tif 000024
【図２４】
0005594180.tif 000025
【図２５】
0005594180.tif 000026
【図２６】
0005594180.tif 000027
【図２７】
0005594180.tif 000028
【図２８】
0005594180.tif 000029